【手続補正書】
【提出日】平成16年10月27日(2004.10.27)
【手続補正１】
【補正対象書類名】明細書
【補正対象項目名】発明の名称
【補正方法】変更
【補正の内容】
【発明の名称】地中配電用気中モールド開閉器及びその取付金具
【手続補正２】
【補正対象書類名】明細書
【補正対象項目名】特許請求の範囲
【補正方法】変更
【補正の内容】
【特許請求の範囲】
【請求項１】
扁平な両面を左右側面として箱体を立設し、当該箱体の正面を開口面とし、当該立設した箱体の上面及び下面に貫通孔を穿ち、当該箱体の上記二つの各貫通孔の外面部分に夫々一定長のブッシングを設けて上ブッシング部及び下ブッシング部とし、
一端に端子部を設け、他端に固定ブレード電極を設けて成る固定電極杆の固定ブレード電極に、細隙状の消弧室を有する消弧室体を被せて設け、当該固定電極杆をその端子部を箱体の外側の上部ブッシング内に、電極部を箱体の内側にして取り付け、
一端に端子部を設け、他端に、略Ｌ型の可動ブレード電極を回動自在に軸支した可動電極杆を設け、当該可動電極杆をその端子部を箱体の外側の下ブッシング部内に、電極部を箱体の内側にして取り付け、上記可動ブレード電極の可動接点ではない端部に絶縁ロッドの一端を回動自在に軸支し、
これらの構成から成る単極モールド接点部を一定の間隔を空けて三相並べて設け、これらの箱体の正面の各開口端縁に、夫々の箱体の正面の開口面の形状及び位置に合わせた略同形同大の開口部を設けた三相一体の機構基板を接地して取り付け、
当該機構基板上に設けた操作機構部に一端を接続した三個の駆動レバーの各他端を、上記機構基板の各開口部から夫々各箱体内に挿入して上記各絶縁ロッドの他端に回動自在に軸支し、
上記操作機構部の操作により上記各絶縁ロッドを回動させて、夫々の可動ブレード電極を一同に回動させて、各可動ブレード電極と各固定ブレード電極とを着脱することにより三極連動して開閉することを特徴とする、地中配電用気中モールド開閉器。
【請求項２】
上記各箱体は、電界緩和処理を施さず、また導体を内部に挿入せず、絶縁樹脂材により各相単体で成形し、各相分離で三相を構成したことを特徴とする、上記請求項１に記載の地中配電用気中モールド開閉器。
【請求項３】
上記請求項１又は２の何れかに記載の地中配電用気中モールド開閉器を取り付ける支持体に、その背部を固定して間隔をあけて平行に２枚の取付板を突設させて取付金具を設け、
上記地中配電用気中モールド開閉器の単極モールド接点部の各開口面に設けた機構基板の上端縁を各単極モールド接点部の各箱体の上面側を略直角に折り曲げ、上記取付板の各上縁前端部に突出部を設け、
上記取付金具に上記地中配電用気中モールド開閉器を取り付ける際、当該取付金具の取付板が三相の各単極モールド接点部の異相間の各隙間に入るように、上記開閉器を当該取付金具に差し入れ、当該開閉器の機構基板の上端縁を上記２枚の各取付板の突出部に仮置きした後、当該機構基板に穿った貫通孔を通してボルトを当該２枚の各取付板の前縁の上下に設けたねじ孔に螺着することにより、当該地中配電用気中モールド開閉器を当該取付金具に固着する構成としたことを特徴とする、地中配電用気中モールド開閉器の取付金具。
【手続補正３】
【補正対象書類名】明細書
【補正対象項目名】０００１
【補正方法】変更
【補正の内容】
【０００１】
【発明の属する技術分野】
この発明は、高圧キャビネット等の配電用供給箱の内部に設置される高圧地中配電線路の開閉のために使用するモールド開閉器及びその取付金具に関するものである。
【手続補正４】
【補正対象書類名】明細書
【補正対象項目名】０００５
【補正方法】変更
【補正の内容】
【０００５】
そこでこの発明は、コストアップの原因となる部材等を出来るだけ避け、従来地中配電用開閉器が必要としている諸特性、取扱い作業性、操作性、信頼性等を維持しながら、コストを低減できる地中配電用気中モールド開閉器及びその取付金具を提供して上記課題を解決するものである。
【手続補正５】
【補正対象書類名】明細書
【補正対象項目名】０００８
【補正方法】変更
【補正の内容】
【０００８】
請求項２の発明は、上記各箱体は、電界緩和処理を施さず、また導体を内部に挿入せず、絶縁樹脂材により各相単体で成形し、各相分離で三相を構成した上記請求項１に記載の地中配電用気中モールド開閉器とした。また請求項３の発明は、上記請求項１又は２の何れかに記載の地中配電用気中モールド開閉器を取り付ける支持体に、その背部を固定して間隔をあけて平行に２枚の取付板を突設させて取付金具を設け、上記地中配電用気中モールド開閉器の単極モールド接点部の各開口面に設けた機構基板の上端縁を各単極モールド接点部の各箱体の上面側を略直角に折り曲げ、上記取付板の各上縁前端部に突出部を設け、上記取付金具に上記地中配電用気中モールド開閉器を取り付ける際、当該取付金具の取付板が三相の各単極モールド接点部の異相間の各隙間に入るように、上記開閉器を当該取付金具に差し入れ、当該開閉器の機構基板の上端縁を上記２枚の各取付板の突出部に仮置きした後、当該機構基板に穿った貫通孔を通してボルトを当該２枚の各取付板の前縁の上下に設けたねじ孔に螺着することにより、当該地中配電用気中モールド開閉器を当該取付金具に固着する構成とした地中配電用気中モールド開閉器の取付金具とした。
【手続補正６】
【補正対象書類名】明細書
【補正対象項目名】００２２
【補正方法】変更
【補正の内容】
【００２２】
単極モールド接点部Ｂの内部接点の絶縁支持物を省略できるので、モールド開閉器Ａの縦方向を短尺化でき、この開閉器の軽量化とケーブル処理空間の拡大が図れる。異相間の隙間を取付金具Ｄの取付板３５を通すスペースとして利用できる。またこの取付板３５は、モールド開閉器Ａの内部短絡時に箱体１が破裂した場合、その破片が飛散するのを抑制し、両方の側面板３４は、隣接回路（機材を含む）への波及防止の防護板、電撃防止板及び完全地絡優先構造となる。なおモールド開閉器Ａの軽量化とともにモールド開閉器Ａと取付金具Ｄを分割すること、モールド開閉器Ａを取付金具Ｄの取付板３５に一旦仮置きしてからねじで固定することが出来ることにより、既設の配電用供給箱内の断路器とモールド開閉器Ａの回路単位での現地交換作業を機械力を使用することなく、一人作業で可能とすることが出来る。異相間ピッチが異なるもの、及び複数回路一体の開閉器にも同じ接点内蔵の単極モールド接点部Ｂが使用出来る。単極モールド接点部Ｂにセンサー、機構等必要部品を付加すれば、手動開閉器の他にＳＯＧ（過電流蓄勢トリップ付地絡トリップ形）機能付き開閉器、自動開閉器を構成することができる。部分的に不具合が生じた場合、相単位の交換が容易に出来るのでＲｅｄｕｃｅ（減少）、Ｒｅｕｓｅ（再利用）、Ｒｅｐａｉｒ（修理）、Ｒｅｃｙｃｌｅ（リサイクル、再生利用）に貢献できる。
【手続補正７】
【補正対象書類名】明細書
【補正対象項目名】００２７
【補正方法】変更
【補正の内容】
【００２７】
この様に、この発明のモールド開閉器では、従来コストアップとなっていたチューリップ接点などの部材を使用するものではないので、コスト低減の他、閉路蓋を使用しないので、開閉器開閉の際の操作音も大きくなく、開閉の操作時の衝撃により破損するということもない。
この様な結果、地中配電用開閉器が必要としている諸特性、取扱い作業性、操作性、信頼性等を充分に維持出来るものである。
また請求項３の発明によれば、モールド開閉器の軽量化とともにモールド開閉器と取付金具を分割し、モールド開閉器を取付金具の取付板に一旦仮置きしてからねじで固定することが出来ることにより、既設の配電用供給箱等内の断路器とモールド開閉器の回路単位での現地交換作業を機械力を使用することなく、一人作業で可能とすることが出来る。